(57)【要約】【課題】検査対象に形成されたパターンの寸法や位置の変動を正確に求めることが可能な検査装置および検査方法を提供する。【解決手段】パターンが形成された試料に光を照明し、試料の像を画像センサに結像して光学画像を取得し、光学画像を基準画像と比較してこれらの画像におけるパターンの寸法差が所定の範囲を超えたときに欠陥と判定する検査方法において、光の強度および画像センサの感度の内で少なくとも一方の時間的変動を取得し、この時間的変動とパターンの寸法差の時間的変動との関係を求めてパターンの寸法差を補正する。画像センサを試料に対し相対的に移動させることにより、試料全体の光学画像を取得しながら、所定時間毎に試料内に設けた別のパターンに画像センサを移動させて、画像センサの感度の時間的変動を求めることが好ましい。【選択図】図８
2011196728.tif 000002
【特許請求の範囲】
【請求項１】
パターンが形成された試料に光を照明し、前記試料の像を画像センサに結像して、前記試料に形成されたパターンの寸法を検査する検査装置において、
前記画像センサから前記試料の光学画像を取得する部分と、
前記光学画像を基準画像と比較して、これらの画像における前記パターンの寸法差が所定の範囲を超えたときに欠陥と判定する部分とを有し、
前記欠陥と判定する部分は、前記光学画像と前記基準画像から前記パターンの見かけの寸法差を取得する部分と、
前記光の強度および前記画像センサの感度の内で少なくとも一方の時間的変動を取得する部分と、
前記光の強度および前記画像センサの感度の内で少なくとも一方の時間的変動と、前記パターンの寸法差の時間的変動との関係を取得する部分と、
前記見かけの寸法差から前記パターンの寸法差の時間的変動を引くことにより、前記パターンの真の寸法差を取得する部分とを有することを特徴とする検査装置。
【請求項２】
前記基準画像は、前記パターンの設計データから作成された参照画像、または、前記試料で前記光学画像とは異なる領域にある前記パターンと同一のパターンの光学画像であることを特徴とする請求項１に記載の検査装置。
【請求項３】
パターンが形成された試料に光を照明し、前記試料の像を画像センサに結像して光学画像を取得し、前記光学画像を基準画像と比較してこれらの画像における前記パターンの寸法差が所定の範囲を超えたときに欠陥と判定する検査方法において、
前記光の強度および前記画像センサの感度の内で少なくとも一方の時間的変動を取得し、該時間的変動と前記パターンの寸法差の時間的変動との関係を求めて前記パターンの寸法差を補正することを特徴とする検査方法。
【請求項４】
前記画像センサを前記試料に対し相対的に移動させることにより、前記試料全体の光学画像を取得しながら、所定時間毎に前記試料内に設けた別のパターンに前記画像センサを移動させて、前記画像センサの感度の時間的変動を求めることを特徴とする請求項３に記載の検査方法。
【請求項５】
前記基準画像は、前記パターンの設計データから作成された参照画像、または、前記試料で前記光学画像とは異なる領域にある前記パターンと同一のパターンの光学画像であることを特徴とする請求項３または４に記載の検査方法。
【発明の詳細な説明】
【技術分野】
【０００１】
本発明は、検査装置および検査方法に関し、より詳しくは、マスクなどの検査対象に形成されたパターンの寸法検査に用いられる検査装置および検査方法に関する。
【背景技術】
【０００２】
近年、大規模集積回路（ＬＳＩ）の高集積化および大容量化に伴い、半導体素子に要求される回路線幅は益々狭くなっている。半導体素子は、回路パターンが形成された原画パターン（マスクまたはレチクルを指す。以下では、マスクと総称する。）を用い、いわゆるステッパと呼ばれる縮小投影露光装置でウェハ上にパターンを露光転写して回路形成することにより製造される。こうした微細な回路パターンをウェハに転写するためのマスクの製造には、微細パターンを描画可能な電子ビーム描画装置が用いられる。また、レーザビームを用いて描画するレーザビーム描画装置の開発も試みられている。尚、電子ビーム描画装置は、ウェハに直接回路パターンを描画する場合にも用いられる。
【０００３】
多大な製造コストのかかるＬＳＩの製造にとって、歩留まりの向上は欠かせない。一方、最近の代表的なロジックデバイスでは、数十ｎｍの線幅のパターン形成が要求される状況となってきている。ここで、歩留まりを低下させる大きな要因としては、マスクのパターン欠陥や、露光転写時におけるプロセス諸条件の変動が挙げられる。これまでは、半導体ウェハ上に形成されるＬＳＩパターン寸法の微細化に伴い、マスクの寸法精度を高めることで、プロセス諸条件の変動マージンを吸収することが行われてきた。このため、マスク検査においては、パターン欠陥として検出しなければならない寸法が微細化しており、極めて小さなパターンの位置誤差を検出することが必要になっている。こうしたことから、ＬＳＩ製造に使用される転写用マスクの寸法を検査する検査装置に対しては、高い検査精度が要求されている。
【０００４】
パターン欠陥を検出する手法には、ダイ−トゥ−ダイ（Ｄｉｅ  ｔｏ  Ｄｉｅ）検査方式とダイ−トゥ−データベース（Ｄｉｅ  ｔｏ  Ｄａｔａｂａｓｅ）検査方式がある。ダイ−トゥ−ダイ検査方式は、同一のマスク内であって、その一部分または全体に同一のパターン構成を有する複数のチップが配置されている場合に、マスクの異なるチップの同一パターン同士を比較する検査方法である。この方式によれば、マスクのパターンを直接比較するので比較的簡単な装置構成で精度の高い検査が行える。しかし、比較するパターンの両方に共通して存在する欠陥は検出することができない。一方、ダイ−トゥ−データベース検査方式は、マスク製造に使用された設計パターンデータから生成される参照データと、マスク上の実際のパターンとを比較する検査方法である。参照画像を生成するための機構が必要になるので装置が大掛かりになるが、設計パターンデータとの厳密な比較が行える。１つのマスクに１つのチップ転写領域しかない場合にはこの方法しか採れない。
【０００５】
ダイ−トゥ−データベース検査では、光源から出射された光が光学系を介して検査対象であるマスクに照射される。マスクはテーブル上に載置されており、テーブルが移動することによって照射された光がマスク上を走査する。マスクを透過または反射した光はレンズを介して画像センサ上に結像し、画像センサで撮像された光学画像は測定データとして比較部へ送られる。比較部では、測定データと参照データとが適当なアルゴリズムにしたがって比較される。そして、これらのデータが一致しない場合には欠陥ありと判定される（例えば、特許文献１参照。）。
【０００６】
従来の検査装置では、画像センサで光学画像を撮像したマスクパターン像の正否を判定している。しかし、最近の微細化が進んだマスクにおいては、マスクパターンの線幅や、隣接パターンとの空隙距離に対する要求精度が高くなることによって、設計パターンデータを基に生成される参照データと検査装置が撮影したパターン像との比較だけでは、欠陥であるか否かを判別することが困難になっている。具体的には、光学画像を撮像する際の測定光の強度変化や画像センサの感度変化によって測定データに変動が生じ、参照データとの正確な差を求められないという問題がある。
【０００７】
光学画像と参照画像を比較して、これらのパターン寸法の差を求める方法については、例えば、特許文献２に開示されている。特許文献２では、マスクに形成されているパターンを分割して検査領域を形成し、この検査領域毎にセンサデータに取り込まれている画素毎の線幅のデータを比較して画素毎の線幅の差を求める。得られた線幅の差の度数を集計し、その集計結果から平均値を計算して検査値を求める。そして、この検査値を参照データから設定した閾値と比較する。この方法によれば、線幅の検査を一定の検査領域で計算した線幅の差の平均値を求めて判定しているので、画素毎に求める場合に生じていたばらつきを減少させることができる。
【０００８】
また、特許文献３では、光学画像と参照画像におけるパターンの寸法差を求め、光学画像を複数の計測領域に分けてブロック毎に寸法誤差を集計し、集計結果の内で所定の度数に達しないブロックの集計結果を除去する。そして、光学画像の補正値を求め、この補正値に基づいて光学画像を補正し、補正後の光学画像と参照画像を比較してマスクパターンの検査を行う。この方法によれば、パターンに欠けなどの欠陥部が存在しても、欠陥部の存在する集計結果が除去されるので、光学画像と参照画像とのパターン寸法差に対する信頼性を向上させることができる。
【先行技術文献】
【特許文献】
【０００９】
【特許文献１】特開２００８−１１２１７８号公報
【特許文献２】特許第３８２４５４２号明細書
【特許文献３】特許第３７３２７９４号明細書
【発明の概要】
【発明が解決しようとする課題】
【００１０】
しかしながら、特許文献２および３には、光学画像を撮像する際の測定光の強度変化や画像センサの感度変化によって測定データに変動が生じる問題について何ら記載も示唆もされていない。したがって、光学画像と参照画像との差を正確に求めることができず、欠陥であるか否かを正確に判断することはできない。本発明は、こうした点に鑑みてなされたものである。すなわち、本発明の目的は、光学画像を撮像する際の測定光の強度や画像センサの感度が変化しても、検査対象に形成されたパターンの寸法や位置の変動を正確に求めることが可能な検査装置および検査方法を提供することにある。
【００１１】
本発明の他の目的および利点は、以下の記載から明らかとなるであろう。
【課題を解決するための手段】
【００１２】
本発明の第１の態様は、パターンが形成された試料に光を照明し、試料の像を画像センサに結像して、試料に形成されたパターンの寸法を検査する検査装置において、
画像センサから試料の光学画像を取得する部分と、
光学画像を基準画像と比較して、これらの画像におけるパターンの寸法差が所定の範囲を超えたときに欠陥と判定する部分とを有し、
欠陥と判定する部分は、光学画像と基準画像からパターンの見かけの寸法差を取得する部分と、
光の強度および画像センサの感度の内で少なくとも一方の時間的変動を取得する部分と、
光の強度および画像センサの感度の内で少なくとも一方の時間的変動と、パターンの寸法差の時間的変動との関係を取得する部分と、
見かけの寸法差からパターンの寸法差の時間的変動を引くことにより、パターンの真の寸法差を取得する部分とを有することを特徴とするものである。
【００１３】
本発明の第１の態様において、基準画像は、パターンの設計データから作成された参照画像、または、試料で上記光学画像とは異なる領域にある上記パターンと同一のパターンの光学画像である。
【００１４】
本発明の第２の態様は、パターンが形成された試料に光を照明し、試料の像を画像センサに結像して光学画像を取得し、光学画像を基準画像と比較してこれらの画像におけるパターンの寸法差が所定の範囲を超えたときに欠陥と判定する検査方法において、
光の強度および画像センサの感度の内で少なくとも一方の時間的変動を取得し、この時間的変動とパターンの寸法差の時間的変動との関係を求めてパターンの寸法差を補正することを特徴とするものである。
【００１５】
換言すると、本発明の第２の態様は次のように言い表せる。
すなわち、パターンが形成された試料に光を照明し、試料の像を光学系を介し画像センサに結像して、試料に形成されたパターンの寸法を検査する検査方法において、
画像センサから試料の光学画像を取得する工程と、
光学画像を基準画像と比較して、これらの画像におけるパターンの見かけの寸法差を取得する工程と、
光の強度および画像センサの感度の内で少なくとも一方の時間的変動を取得する工程と、
光の強度および画像センサの感度の内で少なくとも一方の時間的変動と、パターンの寸法差の時間的変動との関係を取得する工程と、
見かけの寸法差からパターンの寸法差の時間的変動を引くことにより、パターンの真の寸法差を取得する工程と、
真の寸法差が所定の範囲を超えたときに欠陥と判定する工程とを有するものである。
【００１６】
本発明の第２の態様においては、画像センサを試料に対し相対的に移動させることにより、試料全体の光学画像を取得しながら、所定時間毎に試料内に設けた別のパターンに画像センサを移動させて、画像センサの感度の時間的変動を求めることが好ましい。
【００１７】
本発明の第２の態様において、基準画像は、パターンの設計データから作成された参照画像、または、試料で上記光学画像とは異なる領域にある上記パターンと同一のパターンの光学画像である。
【発明の効果】
【００１８】
本発明によれば、検査対象に形成されたパターンの寸法や位置の変動を正確に求めることが可能な検査装置および検査方法が提供される。
【図面の簡単な説明】
【００１９】
【図１】本実施の形態における検査装置の構成図である。
【図２】本実施の形態におけるデータの流れを示す概念図である。
【図３】フィルタ処理を説明する図である。
【図４】マスク測定データの取得手順を説明する図である。
【図５】画像センサで検出された光強度の経時変化を示す一例である。
【図６】真のパターン寸法エラー測定値を求める方法の説明図である。
【図７】従来のパターン寸法エラー測定値が測定毎に変化する様子を示す図である。
【図８】図７の見かけのパターン寸法エラー測定値から時間によるΔＣＤの変動量を除いてプロットし直した図である。
【図９】本実施の形態における比較回路の動作を説明する図である。
【発明を実施するための形態】
【００２０】
図１は、本実施の形態における検査装置の構成図である。本実施の形態においては、フォトリソグラフィ法などで使用されるマスクを検査対象としている。
【００２１】
図１に示すように、検査装置１００は、光学画像取得部Ａと制御部Ｂを有する。
【００２２】
光学画像取得部Ａは、光源１０３と、水平方向（Ｘ方向、Ｙ方向）および回転方向（θ方向）に移動可能なＸＹθテーブル１０２と、透過照明系を構成する照明光学系１７０と、拡大光学系１０４と、フォトダイオードアレイ１０５と、センサ回路１０６と、レーザ測長システム１２２と、オートローダ１３０とを有する。
【００２３】
制御部Ｂでは、検査装置１００の全体の制御を司る制御計算機１１０が、データ伝送路となるバス１２０を介して、位置回路１０７、比較回路１０８、参照回路１１２、展開回路１１１、オートローダ制御回路１１３、テーブル制御回路１１４、記憶装置の一例となる磁気ディスク装置１０９、磁気テープ装置１１５、フレキシブルディスク装置１１６、ＣＲＴ１１７、パターンモニタ１１８およびプリンタ１１９に接続されている。ＸＹθテーブル１０２は、テーブル制御回路１１４によって制御されたＸ軸モータ、Ｙ軸モータおよびθ軸モータによって駆動される。これらのモータには、例えば、ステップモータが用いられる。
【００２４】
データベース方式の基準データとなる設計パターンデータは、磁気ディスク装置１０９に格納されており、検査の進行に合わせて読み出されて展開回路１１１に送られる。展開回路１１１では、設計パターンデータがイメージデータ（ビットパターンデータ）に変換される。その後、このイメージデータは、参照回路１１２に送られて、基準画像となる参照画像の生成に用いられる。
【００２５】
尚、図１では、本実施の形態で必要な構成成分を記載しているが、マスクを検査するのに必要な他の公知成分が含まれていてもよい。また、本実施の形態では、ダイ−トゥ−データベース検査方式を例にしているが、ダイ−トゥ−ダイ検査方式であってもよい。この場合には、マスク内の異なる領域にある同一パターンの一方の光学画像を基準画像として取り扱う。
【００２６】
図２は、本実施の形態におけるデータの流れを示す概念図である。
【００２７】
図２に示すように、設計者（ユーザ）が作成したＣＡＤデータ４０１は、ＯＡＳＩＳなどの階層化されたフォーマットの設計中間データ４０２に変換される。設計中間データ４０２には、レイヤ（層）毎に作成されて各マスクに形成される設計パターンデータが格納される。ここで、一般に、検査装置１００は、ＯＡＳＩＳデータを直接読み込めるようには構成されていない。すなわち、検査装置１００の製造メーカー毎に、独自のフォーマットデータが用いられている。このため、ＯＡＳＩＳデータは、レイヤ毎に各検査装置に固有のフォーマットデータ４０３に変換された後に検査装置１００に入力される。尚、フォーマットデータ４０３は、検査装置１００に固有のデータとすることができるが、描画装置と互換性のあるデータとしてもよい。
【００２８】
フォーマットデータ４０３は、図１の磁気ディスク装置１０９に入力される。すなわち、フォトマスク１０１のパターン形成時に用いた設計パターンデータは、磁気ディスク装置１０９に記憶される。
【００２９】
設計パターンに含まれる図形は、長方形や三角形を基本図形としたものである。磁気ディスク装置１０９には、例えば、図形の基準位置における座標（ｘ，ｙ）、辺の長さ、長方形や三角形等の図形種を区別する識別子となる図形コードといった情報であって、各パターン図形の形、大きさ、位置等を定義した図形データが格納される。
【００３０】
さらに、数十μｍ程度の範囲に存在する図形の集合を一般にクラスタまたはセルと称するが、これを用いてデータを階層化することが行われている。クラスタまたはセルには、各種図形を単独で配置したり、ある間隔で繰り返し配置したりする場合の配置座標や繰り返し記述も定義される。クラスタまたはセルデータは、さらにフレームまたはストライプと称される、幅が数百μｍであって、長さがフォトマスクのＸ方向またはＹ方向の全長に対応する１００ｍｍ程度の短冊状領域に配置される。
【００３１】
入力された設計パターンデータは、磁気ディスク装置１０９から制御計算機１１０を通して展開回路１１１によって読み出される。
【００３２】
展開回路１１１は、設計パターンを図形毎のデータにまで展開し、その図形データの図形形状を示す図形コード、図形寸法などを解釈する。そして、所定の量子化寸法のグリッドを単位とするマス目内に配置されるパターンとして２値ないしは多値の設計画像データを展開する。展開された設計画像データは、センサ画素に相当する領域（マス目）毎に設計パターンにおける図形が占める占有率を演算する。そして、各画素内の図形占有率が画素値となる。
【００３３】
上記のようにして２値ないしは多値のイメージデータ（設計画像データ）に変換された設計パターンデータは、次に参照回路１１２に送られる。参照回路１１２では、送られてきた図形のイメージデータである設計画像データに対して適切なフィルタ処理が施される。
【００３４】
図３は、フィルタ処理を説明する図である。
【００３５】
後述する、センサ回路１０６から得られた光学画像としてのマスク測定データ４０４は、光学系の解像特性やフォトダイオードアレイのアパーチャ効果等によってぼやけを生じた状態、言い換えれば空間的なローパスフィルタが作用した状態にある。したがって、画像強度（濃淡値）がデジタル値となった、設計側のイメージデータであるビットパターンデータにもフィルタ処理を施すことで、マスク測定データ４０４に合わせることができる。このようにしてマスク測定データ４０４と比較する参照画像を作成する。
【００３６】
次に、図１および図４を用いてマスク測定データ４０４の取得方法を説明する。
【００３７】
図１において、光学画像取得部Ａによって、フォトマスク１０１の光学画像、すなわち、マスク測定データ４０４が取得される。ここで、マスク測定データ４０４は、設計パターンに含まれる図形データに基づく図形が描画されたマスクの画像である。マスク測定データ４０４の具体的な取得方法は、例えば、次に示す通りである。
【００３８】
検査対象となるフォトマスク１０１は、ＸＹθ各軸のモータによって水平方向および回転方向に移動可能に設けられたＸＹθテーブル１０２上に載置される。そして、フォトマスク１０１に形成されたパターンに対し、ＸＹθテーブル１０２の上方に配置された光源１０３から光が照射される。より詳しくは、光源１０３から照射される光束が、照明光学系１７０を介してフォトマスク１０１に照射される。フォトマスク１０１の下方には、拡大光学系１０４、フォトダイオードアレイ１０５およびセンサ回路１０６が配置されている。フォトマスク１０１を透過した光は、拡大光学系１０４を介して、フォトダイオードアレイ１０５に光学像として結像する。ここで、拡大光学系１０４は、図示しない自動焦点機構によって自動的に焦点調整がなされるように構成されていてもよい。さらに、図示しないが、検査装置１００は、フォトマスク１０１の下方から光を照射し、反射光を拡大光学系を介して第２のフォトダイオードアレイに導き、透過光と反射光を同時に採取するように構成されていてもよい。
【００３９】
図４は、マスク測定データ４０４の取得手順を説明するための図である。
【００４０】
検査領域は、図４に示すように、Ｙ方向に向かって、スキャン幅Ｗの短冊状の複数の検査ストライプ２０に仮想的に分割され、さらにその分割された各検査ストライプ２０が連続的に走査されるようにＸＹθテーブル１０２の動作が制御され、Ｘ方向に移動しながら光学画像が取得される。フォトダイオードアレイ１０５には、図４に示されるようなスキャン幅Ｗの画像が連続的に入力される。第１の検査ストライプ２０における画像を取得すると、今度はＸＹθテーブル１０２が逆方向に移動しながら、第２の検査ストライプ２０について同様にスキャン幅Ｗの画像が連続的に入力される。第３の検査ストライプ２０については、第２の検査ストライプ２０における画像を取得する方向とは逆方向、すなわち、第１の検査ストライプ２０における画像を取得した方向に移動しながら取得する。このように、連続的に画像を取得していくことで、無駄な処理時間を短縮することができる。
【００４１】
フォトダイオードアレイ１０５に結像したパターンの像は、光電変換された後、さらにセンサ回路１０６でＡ／Ｄ（アナログデジタル）変換される。フォトダイオードアレイ１０５には、画像センサが設けられている。画像センサの例としては、ＴＤＩ（Ｔｉｍｅ  Ｄｅｌａｙ  Ｉｎｔｅｇｒａｔｉｏｎ）センサが挙げられる。例えば、ＸＹθテーブル１０２がＸ軸方向に連続的に移動しながら、ＴＤＩセンサによってフォトマスク１０１のパターンが撮像される。
【００４２】
ＸＹθテーブル１０２は、制御計算機１１０の制御の下、テーブル制御回路１１４によって駆動され、Ｘ方向、Ｙ方向、θ方向に駆動する３軸（Ｘ−Ｙ−θ）モータの様な駆動系によって移動可能となっている。Ｘ軸モータ、Ｙ軸モータ、θ軸モータには、例えば、ステップモータが用いられる。ＸＹθテーブル１０２の移動位置は、レーザ測長システム１２２により測定されて位置回路１０７に送られる。また、ＸＹθテーブル１０２上のフォトマスク１０１は、オートローダ制御回路１１３により駆動されるオートローダ１３０から自動的に搬送され、検査終了後には自動的に排出されるようになっている。
【００４３】
センサ回路１０６から出力されたマスク測定データ４０４は、位置回路１０７から出力されたＸＹθテーブル１０２上でのフォトマスク１０１の位置を示すデータとともに、比較回路１０８に送られる。マスク測定データ４０４は、例えば８ビットの符号なしデータであり、各画素の明るさの階調を表現している。また、上述した参照画像も比較回路１０８に送られる。
【００４４】
比較回路１０８では、センサ回路１０６から送られたマスク測定データ４０４と、参照回路１１２で生成した参照画像とが、適切な比較判定アルゴリズムを用いて比較される。比較は、透過画像のみ、反射画像のみ、または、透過と反射を組み合わせたアルゴリズムで行われる。また、欠陥の性状に応じて複数のアルゴリズムが選択される。各アルゴリズムには閾値がそれぞれ設定されており、その閾値を超える反応値を有するものが欠陥として検出される。この場合、まず、アルゴリズムに対して暫定的な閾値が設定され、この閾値に基づいて行った欠陥検査結果が、後述するレビュー工程でレビューされる。この処理を繰り返し、十分な欠陥検出感度が得られたと判定されると、上記暫定的な閾値がアルゴリズムの閾値として決定される。
【００４５】
比較の結果、マスク測定データ４０４と参照画像の差異が閾値を超えた場合に、その箇所を欠陥と判断する。欠陥と判断されると、その座標と、欠陥判定の根拠となったマスク測定データ４０４および参照画像とが、マスク検査結果４０５として磁気ディスク装置１０９に保存される。
【００４６】
マスク検査結果４０５は、検査装置１００の外部装置であるレビュー装置５００に送られる。レビューは、オペレータによって、検出された欠陥が問題となるものであるかどうかを判断する動作である。レビュー装置５００では、欠陥１つ１つの欠陥座標が観察できるように、マスクが載置されたテーブルを移動させながら、マスクの欠陥箇所の画像を表示する。また同時に欠陥判定の判断条件や、判定根拠になった光学画像と参照画像を確認できるよう、画面上にこれらを並べて表示する。マスク上での欠陥とウェハ転写像への波及状況とをレビュー工程で並べて表示することで、マスクパターンを修正すべきか否かを判断するのが容易になる。尚、一般に、マスクからウェハへは１／４程度の縮小投影が行われるので、並べて表示する際にはこの縮尺も考慮する。
【００４７】
検査装置１００が検出した全欠陥は、レビュー装置５００で判別される。判別された欠陥情報は、検査装置１００に戻されて磁気ディスク装置１０９に保存される。そして、レビュー装置５００で１つでも修正すべき欠陥が確認されると、マスクは、欠陥情報リスト４０６とともに、検査装置１００の外部装置である修正装置６００に送られる。パターン欠陥では、欠陥のタイプが凸系の欠陥か凹系の欠陥かによって修正方法が異なるので、欠陥情報リスト４０６には、凹凸の区別を含む欠陥の種別と欠陥の座標が添付される。例えば、遮光膜を削るのか補填するのかの区別、および、修正装置で修正すべき箇所のパターンを認識するために切り出したパターンデータが添付される。ここで、パターンデータには、上述のマスク測定データ４０４を利用できる。
【００４８】
尚、検査装置１００自身がレビュー機能を有していてもよい。この場合には、マスク検査結果４０５が、検査装置１００のＣＲＴ１１７、または、別途準備される計算機の画面上に、欠陥判定の付帯情報とともに画像表示される。
【００４９】
レビュー工程では、検査結果から作成されたデータを基にモニタに欠陥が表示され、オペレータは、これが本当に問題となる欠陥であるか否かを判定するとともに欠陥を分類する。具体的には、測定データである光学画像と参照画像から比較画像が生成され、比較画像に表示された欠陥がオペレータによってレビューされる。これらの画像における画素データは、画素毎の階調値で表現される。すなわち、各画素には、２５６段階の階調値を有するカラーパレットより０階調から２５５階調のいずれかの値が与えられ、これによって描画パターンや欠陥が表示される。
【００５０】
光学画像は、実際に描画されたパターンを撮像して得られた画像であり、通常、パターンエッジの断面は、描画データで規定されるような理想的な形状にはならない。例えば、描画データではパターンの断面形状が矩形であったとしても、実際のパターンではなだらかなテーパ形状をとることが多い。このため、階調値はパターンエッジ付近で徐々に変化する。したがって、欠陥判定処理に際しては、どこがパターンエッジであるかを規定することが必要になる。例えば、階調値が大きく変動する箇所をパターンエッジとして、隣接するパターンエッジ間の距離を光学画像と参照画像とで比較する。そして、これらの距離の差をパターン寸法エラー測定値（ΔＣＤ）と定義する。
【００５１】
しかしながら、光学画像を撮像する際の測定光の強度が変化したり、画像センサの感度が変化したりすると、階調値が変動してパターンエッジの位置が変化する。すると、光学画像におけるパターンエッジ間の距離が変動するため、パターン寸法エラー測定値に変化が生じる。
【００５２】
本実施の形態では、上記要因による測定値の変動を求め、これを見かけのパターン寸法エラー測定値（ΔＣＤｅ）から差し引くことにより、真のパターン寸法エラー測定値（ΔＣＤ）を求める。以下では、ΔＣＤの具体的な算出方法について述べる。
【００５３】
画像センサの感度は時間によって変化し、その変化は、画像センサで検出される光の強度（光量）変化となって現れる。図５は、画像センサで検出された光強度の経時変化を示す一例である。こうした関係は、例えば、図４で述べたようにしてＸ方向と−Ｘ方向に連続的に走査しながら光学画像を取得する過程で、所定時間毎にマスク基板内に設けられた光強度測定用のパターンに移動し、このパターンにおける光強度を測定することで求められる。
【００５４】
図５の例では、時間の経過とともに検出される光量が減少している。すなわち、時間（ｔ）が経過すると光強度（Ｉ）は減少する。尚、時間の経過とともに光強度が減少する場合や、増加と減少が入り混じる場合もある。
【００５５】
図５の例の場合、時間（ｔ）と光強度（Ｉ）との関係は、式（１）で近似できる。尚、場合に応じて多項式でフィッティングしてもよい。
【００５６】
2011196728.tif 000003
【００５７】
また、時間（ｔ）が経過したことによる寸法差の変動量をΔＣＤ’（ｔ）とすると、この値は式（２）で表わされる。
【００５８】
2011196728.tif 000004
【００５９】
式（２）に式（１）を代入すると、式（３）のようになる。
【００６０】
2011196728.tif 000005
【００６１】
真のパターン寸法エラー測定値ΔＣＤは、見かけのパターン寸法エラー測定値ΔＣＤｅから時間（ｔ）が経過したことによる寸法差の変動量（ΔＣＤ’（ｔ））を引いた値に等しい。すなわち、ΔＣＤは式（４）で表わされる。
【００６２】
2011196728.tif 000006
【００６３】
ΔＣＤｅとＩ（ｔ）は測定により求められるので、定数Ａ、Ｂが分かれば、ΔＣＤを求めることができる。図６を用いて上記関係をより具体的に説明する。
【００６４】
図６において、（ａ）と（ｂ）はそれぞれ同じマスクを模式化したものである。添え字の１番目の数字は行番号を、２番目の数字は列番号を、３番目の数字は同一マスクの測定回数をそれぞれ示す。符号１１１と符号１１２に描画されるパターンは同一のものであるが、符号１１１は１回目に寸法測定されることを示しており、符号１１２は、１回目の測定から所定時間をおいた後、２回目に寸法測定されることを示している。同様に、符号１２１と符号１２２、符号２１１と符号２１２、符号２２１と符号２２２もそれぞれ同一のパターンであり、（ａ）に示されるパターンについて１回目に寸法測定が行われ、（ａ）のパターンに対応する（ｂ）のパターンについて２回目に寸法測定が行われる。
【００６５】
例えば、符号１１１と符号１１２とは同じパターンの寸法を測定しているので、本来的にはパターン寸法エラー測定値は同じとなるはずである。それ故、符号１１１を測定し、所定時間経過後に符号１１２を測定したとき、これらの測定値に差があれば、それは画像センサの強度変化が原因と推測される。
【００６６】
ΔＣＤの変動量であるΔＣＤ’（ｔ）は、式（２）で表わされる。したがって、図６の例において、４つのパターンのそれぞれにおける定数Ａを平均した値（Ａ（平均値））は、式（５）で表わされる。尚、式（５）において、例えば、ΔＣＤｅ１１２は、符号１１２の見かけのパターン寸法エラー測定値であり、ΔＣＤｅ１１１は、符号１１１の見かけのパターン寸法エラー測定値である。これらの差をとることにより、同じパターンにおける寸法エラーの経時変化、すなわちΔＣＤ’（ｔ）が求められる。また、式（５）において、例えば、Ｉ１１２は、符号１１２の光強度であり、Ｉ１１１は、符号１１１の光強度である。これらの差をとることにより、同じパターンにおける光強度の経時変化が求められる。
【００６７】
2011196728.tif 000007
【００６８】
また、式（２）より、Ｂ＝ΔＣＤ’（ｔ）−Ａ×Ｉ（ｔ）である。したがって、図６の例において、４つのパターンのそれぞれにおける定数Ｂを平均した値（Ｂ（平均値））は、式（６）で表わされる。
【００６９】
2011196728.tif 000008
【００７０】
以上のようにして、定数Ａおよび定数Ｂが求められる。
【００７１】
さらに、上記を一般化すると次のようになる。座標（ｉ，ｊ）におけるパターンについて、そのΔＣＤの時間的な変動量をΔＣＤ’ｉ，ｊ（ｔ）とすれば、この値は式（７）で表わされる。
【００７２】
2011196728.tif 000009
【００７３】
式（７）からＡとＢが決定される。時間ｔでの変動を異なる測定回の変動に置き換えると、測定回数が２回の場合、定数Ａ（平均値）と定数Ｂ（平均値）はそれぞれ式（８）、式（９）で表わされる。尚、式（８）および式（９）において、ｎｉは行数を、ｎｊは列数を表す。
【００７４】
2011196728.tif 000010
【００７５】
2011196728.tif 000011
【００７６】
図７は、従来のパターン寸法エラー測定値が測定毎に変化する様子を示したものである。尚、図７の横軸は測定箇所を表わしている。この図からわかるように、同じ測定箇所であれば、パターン寸法エラー測定値は本来的に同一であるはずであるが、１回目、２回目、３回目の測定値がいずれも異なる値となっている。具体的には、測定回数を重ねるにしたがってパターン寸法エラー測定値の値は小さくなっている。このことは、画像センサの感度の変動などを原因として、パターン寸法エラー測定値の中に時間的変動分が含まれるためと考えられる。つまり、図７におけるパターン寸法エラー測定値は見かけの値（ΔＣＤｅ）であり、この値からパターン寸法エラー測定値の時間的変動分（ΔＣＤ’（ｔ））を除くことが必要になる。
【００７７】
図８は、図７に示した見かけのパターン寸法エラー測定値（ΔＣＤｅ）から、時間（ｔ）が経過したことによる寸法差の変動量（ΔＣＤ’（ｔ））を除いてプロットし直したものである。図８によれば、測定回数が変わってもパターン寸法エラー測定値にほとんど変化はない。すなわち、この値は、真のパターン寸法エラー測定値と言える。真のパターン寸法エラー測定値が得られると、この値とパターン寸法設計値との差が許容範囲内となるように、電子ビーム描画装置の調整やリソグラフィ・プロセスの見直しなどが行われる。
【００７８】
図９を用いて、比較回路の動作を説明する。尚、図１と同じ符号を付した部分は同じものであることを示している。
【００７９】
センサ回路１０６から出力されたマスク測定データは、位置回路１０７から出力されたＸＹθテーブル１０２上でのマスクの位置を示すデータとともに、比較回路１０８に送られる。また、参照回路１１２でフィルタ処理を施された設計パターンデータは、参照画像となって比較回路１０８に送られる。比較回路１０８では、センサ回路１０６から送られたマスク測定データと、参照回路１１２で生成された参照画像とが比較される。
【００８０】
図９に示すように、比較回路１０８は、パターン認識部１０８ａと、寸法計測部１０８ｂと、寸法誤差判定部１０８ｃと、閾値可変設定部１０８ｄとを有する。
【００８１】
パターン認識部１０８ａでは、設計パターンデータを微分して、この設計パターンデータにおける設計パターンのエッジ方向が認識される。より詳しくは、設計パターンの幅方向における両端の各エッジ部において、隣接する一対の画素（エッジペア）をサーチして、設計パターンのエッジ方向が認識される。このため、パターン認識部１０８ａは、走査手段、サーチ手段およびエッジ方向認識手段を有する。
【００８２】
走査手段は、計測ウィンドウをＸ方向とＹ方向に移動させて、設計パターンの全体を走査する。尚、計測ウィンドウは、Ｎ×Ｎ画素、例えば、１５×１５画素、１７×１７画素または１９×１９画素などで構成されている。
【００８３】
サーチ手段は、計測ウィンドウの中心画素である注目画素Ｑから、Ｘ方向、Ｙ方向およびＸＹ方向に対して±４５°方向の４方向（＋方向と−方向を考慮すると８方向）にそれぞれサーチを行う。
【００８４】
エッジ方向認識手段は、上記８方向のサーチ結果から一対の画素があるサーチ方向を検出し、このサーチ方向と直交する方向に設計パターンのエッジ方向があると認識する。例えば、Ｘ方向のサーチにより、設計パターンの各両端でそれぞれエッジ点にあたる各画素を検出すると、これらの画素をエッジペアとする。そして、サーチ方向であるＸ方向に直交する方向、すなわち、Ｙ方向をパターンのエッジ方向として認識する。
【００８５】
図９に示す寸法計測部１０８ｂは、エッジ方向認識手段により検出されたエッジペアの各画素値に基づいて、設計パターンの両端の各エッジ点をサブ画素で検出する。そして、これらのエッジ点から設計パターンの幅方向の寸法を検出する。つまり、寸法計測部１０８ｂは、エッジ方向が認識された設計パターンの幅方向の画素値のプロファイルに対し、所定の閾値を用いてサブ画素でエッジ点を検出する。
【００８６】
また、寸法計測部１０８ｂは、マスク測定データを読み取り、設計パターンで幅方向の寸法を算出したエッジ部の位置と同一位置のエッジ部から、マスク測定データの幅方向の寸法を算出する。このため、寸法計測部１０８ｂは、プロファイル取得手段、エッジ点検出手段、第１の幅寸法算出手段および第２の幅寸法算出手段を有する。
【００８７】
プロファイル取得手段は、エッジ方向が認識されたエッジ部における設計パターンの幅方向の画素値のプロファイルを求める機能を有している。
【００８８】
エッジ点検出手段は、プロファイル取得手段で取得したプロファイルに対し、所定の閾値を用いて設計パターンの両端の各エッジ点をサブ画素で検出する機能を有している。エッジ点の検出は、次のようにして行われる。例えば、設計パターンデータにおいて、画素値が「２００」と「０」とに変化するところがエッジ点とすると、このエッジ点は閾値を用いて検出される。このとき、特定の画素の明るさが閾値に一致する場合と、２つの画素の明るさの間に閾値がある場合とがある。そして、Ｘ方向とＹ方向の寸法に対しては、複数のエッジペアの組み合わせがあり、それぞれ相対する両エッジ周辺の画素で構成されるテンプレートとして記憶されている。両エッジのエッジパターンが相対する同系のパターンとなったときにエッジペアとして認識される。
【００８９】
第１の幅寸法算出手段は、エッジ点検出手段で検出された各エッジ点から設計パターンの幅方向の寸法を算出する機能を有する。
【００９０】
第２の幅寸法算出手段は、マスク測定データを受け取り、エッジ方向認識手段で検出されたエッジペアの画素の位置と同一位置において、マスク測定データにおける幅方向の寸法を算出する機能を有する。
【００９１】
図９に示す寸法誤差判定部１０８ｃは、寸法計測部１０８ｂにより取得された設計パターンの幅方向の寸法と、マスク測定データの幅方向の寸法とに基づいて、マスクに形成されたパターンの良否判定を行う。このため、寸法誤差判定部１０８ｃは、寸法誤差算出手段と判定手段を有している。
【００９２】
寸法誤差算出手段は、設計パターンの幅方向の寸法とマスク測定データの幅方向の寸法との差から、パターン寸法エラー測定値を算出する。本実施の形態では、画像センサの感度の時間的変動と、パターン寸法エラー測定値の時間的変動との相関関係を求める。具体的には、パターン寸法エラー測定値を測定している間、一定時間毎に、画像センサの光強度変化測定用のパターンにおける光強度を測定し、その時間的変動からパターン寸法エラー測定値の時間的変動を求める。そして、得られたパターン寸法エラー測定値の時間的変動を見かけのパターン寸法エラー測定値から差し引くことにより、真のパターン寸法エラー測定値を求める。これにより、マスクに形成されたパターンの寸法や位置の変動を正確に求めることが可能となる。
【００９３】
判定手段は、パターン寸法エラー測定値がオフセット値を超えると許容範囲外であると判定する。すなわち、プラス側の閾値よりも大きいとき、あるいは、マイナス側の閾値よりも小さいときに、このパターンを欠陥と判定する。
【００９４】
図９に示す閾値可変設定部１０８ｄは、パターン寸法エラー測定値の度数分布を作成し、この度数分布に基づいて、上記の閾値またはオフセット値を可変設定する。これは、図１の展開回路１１１における演算処理の過程で設計パターンデータに誤差が生じたり、白系／黒系の背景によってマスク測定データのパターン形状が縮小したり、形状が小さくなるにしたがって非線形に形状が変化したりするためである。すなわち、こうした変化に応じて閾値やオフセット値を補正する必要がある。
【００９５】
閾値可変設定部１０８ｄでは、度数分布作成手段と可変設定手段を有する。
【００９６】
度数分布作成手段は、パターン寸法エラー測定値の度数分布を作成する。閾値は、マスクに形成されるパターンの線幅が細くなったり、コンタクトパターンが小さくなったりするほど、大きくする設定する必要がある。このため、寸法計測部１０８ｂがパターン寸法を測定すると、閾値可変設定部１０８ｄは、正常なマスクのパターンを用いてパターン寸法エラー測定値の度数分布を作成する。設計パターンの形状ずれは、作成した度数分布を用いて求められる。
【００９７】
可変設定手段は、度数分布作成手段により作成された度数分布に基づいて、閾値またはオフセット値を可変設定する。また、設計パターンデータにおいて、設計パターンの白系／黒系の背景によっても位置ずれ量が異なるので、可変設定手段は、そうした背景のレベルに合わせて複数のオフセット値を決定する。さらに、度数分布からはパターンの線幅に対応するばらつきも分かるので、設計パターンの寸法に応じて複数の閾値を決定する。
【００９８】
以上述べたように、本実施の形態では、まず、画像センサの感度の変動と、パターン寸法エラー測定値の変動との相関関係を求める。具体的には、パターン寸法エラー測定値を測定している間、一定時間毎に、画像センサの光強度変化測定用のパターンにおける光強度を測定し、その時間的変動からパターン寸法エラー測定値の変動を求める。そして、この値を見かけのパターン寸法エラー測定値から差し引くことにより、真のパターン寸法エラー測定値を求める。これにより、マスクに形成されたパターンの寸法や位置の変動を正確に求めることが可能となる。
【００９９】
尚、上記したように、見かけのパターン寸法エラー測定値の変動要因には、光学画像を撮像する際の測定光の強度変化も挙げられるので、この変動をパターン寸法エラー測定値の変動との相関関係を加味することが好ましい。さらに、他の変動要因があればこれも加味することがより好ましい。
【０１００】
本発明は上記実施の形態に限定されるものではなく、本発明の趣旨を逸脱しない範囲内で種々変形して実施することができる。
【０１０１】
また、上記実施の形態では、装置構成や制御手法等、本発明の説明に直接必要としない部分についての記載を省略したが、必要とされる装置構成や制御手法を適宜選択して用いることができることは言うまでもない。その他、本発明の要素を具備し、当業者が適宜設計変更し得る全てのパターン検査装置またはパターン検査方法は、本発明の範囲に包含される。
【符号の説明】
【０１０２】
２０    検査ストライプ
１００  検査装置
１０１  フォトマスク
１０２  ＸＹθテーブル
１０３  光源
１０４  拡大光学系
１０５  フォトダイオードアレイ
１０６  センサ回路
１０７  位置回路
１０８  比較回路
１０８ａ  パターン認識部
１０８ｂ  寸法計測部
１０８ｃ  寸法誤差判定部
１０８ｄ  閾値可変設定部
１０９  磁気ディスク装置
１１０  制御計算機
１１１  展開回路
１１２  参照回路
１１３  オートローダ制御回路
１１４  テーブル制御回路
１１５  磁気テープ装置
１１６  フレキシブルディスク装置
１１７  ＣＲＴ
１１８  パターンモニタ
１１９  プリンタ
１２０  バス
１２２  レーザ測長システム
１３０  オートローダ
１７０  照明光学系
４０１  ＣＡＤデータ
４０２  設計中間データ
４０３  フォーマットデータ
４０４  マスク測定データ
４０５  マスク検査結果
４０６  欠陥情報リスト
４０１  ウェハ転写シミュレータ
５００  レビュー装置
６００  修正装置
【図１】
2011196728.tif 000012
【図２】
2011196728.tif 000013
【図３】
2011196728.tif 000014
【図４】
2011196728.tif 000015
【図５】
2011196728.tif 000016
【図６】
2011196728.tif 000017
【図７】
2011196728.tif 000018
【図８】
2011196728.tif 000019
【図９】
2011196728.tif 000020